(57)【要約】【課題】低コストで座り心地に優れた背凭れ及び椅子を提供する。【解決手段】着座者の荷重を支持する荷重支持面３１ｆを有した板状の背板３１と、背板３１の上部を突出させた状態で、背板３１の下部において背板３１に対して前後方向で対向して固定され、座部１０又は支持構造体１に連結される背凭れ補強フレーム３２と、背板３１及び背凭れ補強フレーム３２を覆う表皮材と、を備えている。【選択図】図７
2019126379.tif 000002
【特許請求の範囲】
【請求項１】
着座者の荷重を支持する荷重支持面を有した板状の背凭れ本体と、
前記背凭れ本体の上部を突出させた状態で、前記背凭れ本体の下部において前記背凭れ本体に対して前後方向で対向して固定され、座部又は前記座部を支持する支持構造体に連結される背凭れ補強フレームと、
前記背凭れ本体及び前記背凭れ補強フレームを覆う表皮材と、を備えている背凭れ。
【請求項２】
前記背凭れ補強フレームは、前記背凭れ本体の前記荷重支持面側に配置されている請求項１に記載の背凭れ。
【請求項３】
前記背凭れ補強フレームは、
前記背凭れ本体の下端部において前記背凭れ本体の幅方向に延びる下辺部と、
前記下辺部から前記背凭れ本体の幅方向両端部に沿って上方に延びる一対の側辺部と、を一体に備える請求項１又は請求項２に記載の背凭れ。
【請求項４】
前記背凭れ本体の前記荷重支持面側に設けられたクッション材をさらに備え、
前記クッション材の下部は、前記背凭れ補強フレームの前記下辺部と一対の前記側辺部とに囲まれた部分の内側に収められている請求項３に記載の背凭れ。
【請求項５】
前記背凭れ補強フレームは、前記背凭れ本体よりも剛性が高い請求項１から請求項４の何れか１項に記載の背凭れ。
【請求項６】
請求項１から請求項５の何れか１項に記載の背凭れと、
前記背凭れの前方に配置され、着座者が着座可能な座部と、
前記座部及び前記背凭れを支持する支持構造体と、を備える椅子。
【請求項７】
前記支持構造体は、幅方向両側に、それぞれ、上方に向かって延びるフレーム支持部を有し、
前記背凭れ補強フレームは、前記フレーム支持部に固定されている請求項６に記載の椅子。
【請求項８】
前記背凭れ補強フレームは、幅方向両側に、下方に向かって開口し、前記フレーム支持部が挿入される挿入部を有する請求項７に記載の椅子。
【発明の詳細な説明】
【技術分野】
【０００１】
本発明は、背凭れ及び椅子に関する。
【背景技術】
【０００２】
椅子の背凭れは、座部又は座部を支持する支持構造体に連結されている。
例えば特許文献１には、椅子の支基に設けられた背凭れ支持体によって、背凭れのインナーシェルを支持する構成が開示されている。この構成において、背凭れ支持体は、正面視においてＵ字状をなしており、横フレームの左右端に起立フレームが立設されている。背凭れのインナーシェルの左右下部には、左右方向の外方及び下方に開口する凹部が設けられている。インナーシェルは、背凭れ支持体の起立フレームを、左右下部の凹部内に嵌入させることで、背凭れ支持体に支持されている。
【先行技術文献】
【特許文献】
【０００３】
【特許文献１】特許第５８９３８９４号公報
【発明の概要】
【発明が解決しようとする課題】
【０００４】
ところで、背凭れでは、座り心地の改善を目的として、着座者の荷重を支持するための剛性を確保した上で、例えば背凭れの上部において柔軟性が求められる場合がある。
しかしながら、特許文献１に開示されたような構成にあっては、強度部材として機能するインナーシェルの凹部内に起立フレームが嵌入される構成であるため、インナーシェルの前後方向の厚さを起立フレームよりも厚くする必要がある。この場合、インナーシェルの上部を下部（起立フレームが嵌入される部分）に比べて極端に薄くすることが難しい。そのため、従来の背凭れでは、背凭れの剛性及び柔軟性を両立させる点で未だ改善の余地があった。
【０００５】
特許文献１に開示されたインナーシェルは、上述したように厚さを比較的厚くする必要があるので、軽量化を図った上で、インナーシェルのみで剛性を確保するためには、複数のリブを形成する必要がある。そのため、インナーシェルの形状が複雑になり、製造コストの増加に繋がるという課題があった。
【０００６】
そこでなされた本発明の目的は、低コストで座り心地に優れた背凭れ及び椅子を提供することである。
【課題を解決するための手段】
【０００７】
上記目的を達成するために、本発明の一態様に係る背凭れは、着座者の荷重を支持する荷重支持面を有した板状の背凭れ本体と、前記背凭れ本体の上部を突出させた状態で、前記背凭れ本体の下部において前記背凭れ本体に対して前後方向で対向して固定され、座部又は前記座部を支持する支持構造体に連結される背凭れ補強フレームと、前記背凭れ本体及び前記背凭れ補強フレームを覆う表皮材と、を備えている。
【０００８】
本態様によれば、背凭れの下部では、背凭れ本体と背凭れ補強フレームとが前後方向で重ね合わされることで、剛性が高められる。一方、背凭れにおいて背凭れ補強フレームよりも上方に位置する部分は、背凭れ補強フレームが設けられていないため、背凭れの下部に比較して柔軟性を確保し易い。これにより、着座者が背凭れに荷重をかけたときに、背凭れの下部は変形が抑えられて高い剛性感を確保しつつ、背凭れの上部を撓ませることができ、座り心地が向上する。
【０００９】
特に、本態様では、背凭れ補強フレームが背凭れ本体に対して前後方向で対向して固定されているため、背凭れのインナーフレームを背凭れ支持体の起立フレームに嵌め込む従来の構成と異なり背凭れ補強フレームの厚さに依らず背凭れ本体の厚さを設定できる。これにより、背凭れ本体を薄くすることができるので、背凭れ本体の柔軟性を得易い。また、背凭れ本体を薄型化することで、背凭れの美観も向上させることができる。
しかも、本態様では、背凭れ補強フレーム及び背凭れ本体を背凭れの強度部材として機能させることで、各部材に最適な材質を選択できる等の設計の自由度を向上させることができる。この場合、従来のように一部品（インナーシェル）で剛性を確保する構成のように、リブ等の複雑な形状を付す必要が抑えられるので、製造コストの削減を図ることができる。
その結果、低コストで座り心地に優れた背凭れを提供できる。
【００１０】
本発明の一態様に係る背凭れにおいて、前記背凭れ補強フレームは、前記背凭れ本体の前記荷重支持面側に配置されていてもよい。
本態様によれば、椅子を後方（荷重支持面と反対側）から見たときに、背凭れ本体の後方に背凭れ補強フレームが露呈することがない。したがって、椅子の美観を向上させることができる。
【００１１】
本発明の一態様に係る背凭れにおいて、前記背凭れ補強フレームは、前記背凭れ本体の下端部において前記背凭れ本体の幅方向に延びる下辺部と、前記下辺部から前記背凭れ本体の幅方向両端部に沿って上方に延びる一対の側辺部と、を一体に備えていてもよい。
本態様によれば、背凭れ補強フレームが上方に開口するＵ字状に形成されるので、背凭れの下部を補強した上で、着座者の腰部が背凭れ補強フレームに干渉するのを抑えることができる。また、背凭れ補強フレームが背板の外周縁に沿って配置されるので、背板の柔軟性が背凭れ補強フレームによって阻害されるのを抑えることができる。
【００１２】
本発明の一態様に係る背凭れにおいて、前記背凭れ本体の前記荷重支持面側に設けられたクッション材をさらに備え、前記クッション材の下部は、前記背凭れ補強フレームの前記下辺部と一対の前記側辺部とに囲まれた部分の内側に収められていてもよい。
本態様によれば、背凭れの厚みが増加するのを抑えつつ、座り心地を向上させることができる。
【００１３】
本発明の一態様に係る背凭れにおいて、前記背凭れ補強フレームは、前記背凭れ本体よりも剛性が高くてもよい。
本態様によれば、背凭れ補強フレームによって背凭れの剛性を積極的に確保することで、背凭れ本体に対して柔軟性を付与し易い。
【００１４】
本発明の一態様に係る椅子は、上記態様に係る背凭れと、前記背凭れの前方に配置され、着座者が着座可能な座部と、前記座部及び前記背凭れを支持する支持構造体と、を備える。
本態様によれば、上記態様に係る背凭れを備えているため、低コストで座り心地に優れた椅子を提供できる。
【００１５】
本発明の一態様に係る椅子において、前記支持構造体は、幅方向両側に、それぞれ、上方に向かって延びるフレーム支持部を有し、前記背凭れ補強フレームは、前記フレーム支持部に固定されていてもよい。
本態様によれば、背凭れを支持構造体に強固に固定することができる。
【００１６】
本発明の一態様に係る椅子において、前記背凭れ補強フレームは、幅方向両側に、下方に向かって開口し、前記フレーム支持部が挿入される挿入部を有していてもよい。
本態様によれば、背凭れを組み立てる際には、背凭れ補強フレームの挿入部に背凭れ支持部材の上方延出部を挿入することで、背凭れ補強フレームを背凭れ支持部材の上方延出部に容易かつ強固に固定することができる。さらに、背凭れ支持部材の上方延出部が背凭れ補強フレームの挿入部に挿入されることで、背凭れ支持部材の上方延出部が前後に露呈するのを抑え、椅子の外観を向上させることができる。
【発明の効果】
【００１７】
本発明の一態様によれば、低コストで座り心地に優れた背凭れ及び椅子を提供できる。
【図面の簡単な説明】
【００１８】
【図１】本発明の実施形態に係る椅子の全体構成を示す斜視図である。
【図２】上記椅子の左側面図である。
【図３】上記椅子の後面図である。
【図４】上記椅子の支持構造体と背凭れとの構成を示す斜視展開図である。
【図５】上記背凭れ補強フレームと、支持構造体と、肘掛けと、の連結構造を斜め前方から見た斜視図である。
【図６】上記背凭れ補強フレームと、支持構造体と、肘掛けと、の連結構造を示す断面図である。
【図７】上記椅子の支持構造体と背凭れとを一体化した状態を示す斜視図である。
【図８】上記背凭れ補強フレームを示す斜視図である。
【発明を実施するための形態】
【００１９】
以下、本発明の一実施形態に係る椅子について図面を参照して説明する。
以下の説明において、便宜上、椅子１００に着座した利用者（着座者）が前を向く方向を「前方」、その反対方向を「後方」、つまり図２の紙面に沿った横方向を前後方向と称する。さらに、椅子１００を設置する床面Ｆの法線方向を上下方向、椅子１００の幅方向、つまり図２の紙面に直交する方向を左右方向又は幅方向と称する。なお、図中適所には、椅子１００の幅方向を示す矢印Ｘ、椅子１００の前後方向を示す矢印Ｙ、椅子１００の上下方向を示す矢印Ｚが示されている。
【００２０】
図１は、本発明の実施形態に係る椅子１００の全体構成を示す斜視図である。図２は、椅子１００の左側面図である。図３は、椅子１００の後面図である。
図１〜図３に示すように、椅子１００は、支持構造体１と、座部１０と、肘掛け２０と、背凭れ３０と、を備えている。
【００２１】
支持構造体１は、座部１０を支持する。支持構造体１は、脚体２と、脚柱３と、支基４と、背凭れ支持部材６と、を備えている。
脚体２は、平面視で放射状に配置された複数（五本）の脚杆２ａを有する。各脚杆２ａの先端部には、それぞれ床面Ｆに接地するキャスタ２ｂが設けられている。
脚柱３は、脚体２の中央に起立している。脚柱３は、ガススプリングを内蔵した伸縮式で、下部を構成する外筒３ａと上部を構成する内筒３ｂとを相対回転可能に有している。
【００２２】
支基４は、脚柱３の上端に、後部が固定されている。支基４は、背凭れ３０を支持する背凭れ支持部材６を傾動可能（回動可能）に支持するとともに、着座面１０ｓを形成する座部１０を背凭れ支持部材６と連動して傾動可能に支持している。
【００２３】
背凭れ支持部材６は、支基４に対して幅方向の両側に、左右一対で設けられている。各背凭れ支持部材６は、それぞれ側面視Ｌ字状をなしている。背凭れ支持部材６は、例えばアルミニウム合金等の金属材料で構成されている。
【００２４】
図４は、椅子１００の支持構造体１と背凭れ３０との構成を示す斜視展開図である。
図２〜図４に示すように、背凭れ支持部材６は、支基４の側方に隣接する位置から後方へ延びる後方延出部６ａと、後方延出部６ａの後端に連なり上方へ屈曲する湾曲部６ｂと、湾曲部６ｂの上端に連なり上方へ延びる上方延出部（フレーム支持部）６ｃ（図３、図４参照）と、を有している。上方延出部６ｃは、後方延出部６ａに対して幅方向外側へ変位している。
【００２５】
図５は、背凭れ補強フレーム３２と、支持構造体１と、肘掛け２０と、の連結構造を斜め前方から見た斜視図である。図６は、背凭れ補強フレーム３２と、支持構造体１と、肘掛け２０と、の連結構造を示す断面図である。
図４〜図６に示すように、上方延出部６ｃには、幅方向内側に窪み、上方延出部６ｃが延びる方向（上下方向）に連続する溝部６ｅが形成されている。図５、図６に示すように、溝部６ｅの上下には、ボルト挿通孔６ｆが形成されている。
【００２６】
図２に示すように、座部１０は、背凭れ支持部材６に連結された座受け部材１１上に、前後スライド可能に支持されている。各背凭れ支持部材６の前部には、上向きに延びる座支持杆６ｄが設けられている。例えば、座支持杆６ｄは、背凭れ支持部材６に一体形成されている。図中符号Ｃ１は支基４の側方に突出して背凭れ支持部材６の前端部を支持する回動軸（リクライニング軸）の中心軸線を示す。
【００２７】
左右の座支持杆６ｄの上端部には、それぞれ座受け部材１１の後部が、回動軸の軸線Ｃ１と平行な軸線Ｃ２の回動軸を介して回動可能に軸支されている。座受け部材１１の前部は、上下方向を向く起立姿勢をなす左右一対のリンク部材１２の上端部に、軸線Ｃ１と平行な軸線Ｃ３の回動軸を介して回動可能に軸支されている。左右のリンク部材１２の下端部は、軸線Ｃ１と平行な軸線Ｃ４の回動軸を介して、支基４の前部に回動可能に軸支されている。
【００２８】
背凭れ３０と座部１０とは、図２に示す側面視で、第一節Ｌ１、第二節Ｌ２、第三節Ｌ３及び第四節Ｌ４を有する四節リンク状の連動機構１５を介して連動可能である。
連動機構１５は、背凭れ３０が後方へ傾動する前（リクライニング前）の起立位置（図２参照）からリクライニング位置に向けて後方へ回動したとき、座部１０を後方へ移動させつつ後下がりに傾斜させる。
【００２９】
肘掛け２０は、座部１０の幅方向両側に配置されている。肘掛け２０は、背凭れ３０に支持される肘掛け本体２１と、肘掛け本体２１に取り付けられるパッド２７と、を備えている。
【００３０】
肘掛け本体２１は、側面視で概略三角形状の枠状に一体形成されている。肘掛け本体２１は、背凭れ支持部材６と同様、例えばアルミニウム合金等の金属材料で構成されている。
肘掛け本体２１は、前後方向に延びる上部杆２２と、上部杆２２の前部から後下方へ延びる前部杆２３と、上部杆２２及び前部杆２３の後端部間に渡る後部杆２４と、を有している。
【００３１】
図５、図６に示すように、後部杆２４は、背凭れ支持部材６の上方延出部６ｃの幅方向外側に配置されている。後部杆２４の幅方向内側には、後部杆２４の長さ方向に沿う突条２４ａが形成されている。突条２４ａの上下には、ボルトＢ１を螺着させるナット穴２４ｂが形成されている。
後部杆２４は、突条２４ａを上方延出部６ｃの溝部６ｅに嵌入させた状態で、ボルト挿通孔６ｆを通して上下一対のボルトＢ１をナット穴２４ｂに締結することで、背凭れ支持部材６の上方延出部６ｃに固定されている。
【００３２】
図１〜図４に示すように、背凭れ３０は、背板３１と、背凭れ補強フレーム３２（図３、図４参照）と、クッション材３３（図１〜図３参照）と、表皮材３４（図１〜図３参照）と、を有している。
【００３３】
図４に示すように、背板３１は、前後方向に可撓性を有する板材（例えば合板等の木製材料）により形成されている。背板３１の前面は、着座者の荷重を支持する荷重支持面３１ｆとされている。図１〜図３に示すように、背板３１の前方（荷重支持面３１ｆ側）には、クッション材３３及び表皮材３４が配置されている。これにより、背凭れ３０の前面は、背凭れ面３０ｆとされている。
【００３４】
図７は、支持構造体１と、背板３１及び背凭れ補強フレーム３２とを一体化した状態を示す斜視図である。
図７に示すように、背凭れ補強フレーム３２は、背板３１とともに、背凭れ３０の強度部材として機能する。背凭れ補強フレーム３２は、背板３１の下部において、背板３１の前方に、背板３１に対して前後方向で対向して設けられている。背凭れ補強フレーム３２は、背板３１よりも剛性が高い材料、例えば硬質の合成樹脂、あるいは金属材料により形成されている。換言すると、背板３１は、背凭れ補強フレーム３２よりも剛性が低い。なお、本実施形態において、背凭れ補強フレーム３２の前後方向の厚さは、背板３１よりも厚くなっている。但し、背凭れ補強フレーム３２の厚さは、背板３１の厚さ以下であってもよい。
【００３５】
図８は、上記背凭れ補強フレームを示す斜視図である。
図７、図８に示すように、背凭れ補強フレーム３２は、前方から見た正面視で上方に開放するＵ字状をなしている。具体的に、背凭れ補強フレーム３２は、下辺部３２ａと、一対の側辺部３２ｂと、を一体に有している。
下辺部３２ａは、背板３１の下端縁に沿って幅方向に延びている。一対の側辺部３２ｂは、下辺部３２ａの幅方向両端部から、それぞれ、背板３１の幅方向両端縁に沿って上方に延びている。
【００３６】
図８に示すように、背凭れ補強フレーム３２には、複数の締結個所にボルト挿通孔３２ｈが形成されている。図５、図６に示すように、背凭れ補強フレーム３２は、概ね前後方向に沿う複数のボルトＢ２を、それぞれのボルト挿通孔３２ｈ（図８参照）に挿通させ、背板３１の下部に締結することで、背板３１の下部に固定されている。したがって、背凭れ補強フレーム３２は、背板３１を上方に突出させた状態で、背板３１の下部に固定されている。なお、背凭れ補強フレーム３２に対する背板３１の突出長さは適宜変更が可能である。
【００３７】
クッション材３３は、例えば背板３１前方に設けられている。図３に示すように、クッション材３３の下部３３ｄは、背凭れ補強フレーム３２の下辺部３２ａと一対の側辺部３２ｂとで囲まれた部分の内側に収められている。
表皮材３４は、少なくとも背板３１、背凭れ補強フレーム３２及びクッション材３３を覆っている。
【００３８】
このような背凭れ補強フレーム３２は、支持構造体１の背凭れ支持部材６に、以下のようにして連結固定されている。
図８に示すように、背凭れ補強フレーム３２の各側辺部３２ｂには、挿入部３７が形成されている。挿入部３７は、幅方向外側に開放された溝状で、側辺部３２ｂに沿って上下方向に連続している。この挿入部３７は、下方に向かって開口している。
【００３９】
図３、図７に示すように、背凭れ補強フレーム３２は、背凭れ支持部材６の左右の上方延出部６ｃの間に上方から差し込まれる。このとき、図５、図６に示すように、背凭れ補強フレーム３２の各側辺部３２ｂの挿入部３７に上方延出部６ｃが挿入されて嵌合する。これにより、背凭れ支持部材６に対する背凭れ３０の少なくとも前後方向及び左右方向の位置決めがなされる。なお、本実施形態では、背板３１、背凭れ補強フレーム３２及びクッション材３３が表皮材３４により覆われて完成状態となった背凭れ３０が、上方延出部６ｃに組み付けられる。
【００４０】
背凭れ補強フレーム３２と背凭れ支持部材６とは、第一ボルトＢ３及び第二ボルトＢ４によって締結されている。
上部杆２２の後部、及び上方延出部６ｃの上部には、第一ボルトＢ３が挿通されるボルト挿通孔２５が形成されている。ボルト挿通孔２５は、上部杆２２の後部の上面部２２ａに開口２５ａを有している。第一ボルトＢ３は、開口２５ａからボルト挿通孔２５に挿通される。
側辺部３２ｂの上部の幅方向内側には、正面視で第一ボルトＢ３の傾斜と略平行になるように傾斜した矩形状の凹部３８Ａが形成されている。凹部３８Ａ内には、凹部３８Ａの後面及び傾斜面に沿うようにＬ字状のブラケット３９が配置されている。ブラケット３９は、後壁３９ａがボルトＢ２によって背板３１及び背凭れ補強フレーム３２に固定されている。傾斜壁の起立壁３９ｂにはナットＮ３が配置され、第一ボルトＢ３が締結されている。
【００４１】
第一ボルトＢ３は、開口２５ａからボルト挿通孔２５を通じて凹部３８Ａ内に挿入され、凹部３８Ａ内でナットＮ３に締結される。すなわち、第一ボルトＢ３は、肘掛け本体２１の上部から下方かつ幅方向内側へ斜めに延び、背凭れ補強フレーム３２の側辺部３２ｂの上部に締結される。これにより、背凭れ補強フレーム３２の左右の側辺部３２ｂの上部は、幅方向及び上下方向の締結力をもって、背凭れ支持部材６及び肘掛け２０に対して結合される。なお、上部杆２２の上面部２２ａは、パッド２７で覆われるため、第一ボルトＢ３は外部に露呈しない。
【００４２】
背凭れ補強フレーム３２の側辺部３２ｂの下部には、前方に開口する凹部３８Ｂが形成されている。凹部３８Ｂ内には、前方からナットＮ４が挿入され、このナットＮ４が抜け止めビスＢ６によって保持されている。背凭れ支持部材６の湾曲部６ｂには、第二ボルトＢ４が挿通されるボルト挿通孔２６が上下方向に沿って形成されている。ボルト挿通孔２６は、湾曲部６ｂの下面で下方に向けて開口している。第二ボルトＢ４は、ボルト挿通孔２６を通じて凹部３８Ｂ内に下方から挿通され、凹部３８Ｂ内でナットＮ４に締結される。すなわち、第二ボルトＢ４は、背凭れ支持部材６の下部から上方へ延び、背凭れ補強フレーム３２の側辺部３２ｂの下端部に締結される。これにより、背凭れ３０の下部が背凭れ支持部材６に締結固定されている。
【００４３】
本実施形態の椅子１００では、板状の背板３１と、背板３１の上部を突出させた状態で、背板３１の下部において背板３１に対して前後方向で対向して固定され、支持構造体１に連結される背凭れ補強フレーム３２と、を備える構成とした。
この構成によれば、背凭れ３０の下部では、背板３１と背凭れ補強フレーム３２とが前後で重ね合わされることで、剛性が高められる。一方、背凭れ３０において背凭れ補強フレーム３２よりも上方に位置する部分は、背凭れ補強フレーム３２が設けられていないため、背凭れ３０の下部に比較して柔軟性を確保し易い。これにより、着座者が背凭れ３０に荷重をかけたときに、背凭れ３０の下部は変形が抑えられて高い剛性感を確保しつつ、背凭れ３０の上部を撓ませることができ、座り心地が向上する。
【００４４】
特に、本実施形態では、背凭れ補強フレーム３２が背板３１に対して前後方向で対向して設けられているため、背凭れのインナーフレームを背凭れ支持体の起立フレームに嵌め込む従来の構成と異なり背凭れ補強フレーム３２の厚さに依らず背板３１の厚さを設定できる。これにより、背板３１を薄くすることができるので、背板３１の柔軟性を得易い。また、背板３１を薄型化することで、背凭れ３０の美観も向上させることができる。
しかも、本実施形態では、背凭れ補強フレーム３２及び背板３１を背凭れ３０の強度部材として機能させることで、各部材に最適な材質を選択できる等の設計の自由度を向上させることができる。この場合、従来のように一部品（インナーシェル）で剛性を確保する構成のように、リブ等の複雑な形状を付す必要が抑えられるので、製造コストの削減を図ることができる。
その結果、低コストで座り心地に優れた椅子１００を提供できる。
【００４５】
本実施形態では、背凭れ補強フレーム３２が、背板３１の荷重支持面３１ｆ側に配置されている構成とした。
このように構成することで、椅子１００を後方（荷重支持面３１ｆと反対側）から見たときに、背板３１の後方に背凭れ補強フレーム３２が露呈することがない。したがって、椅子１００の美観を向上させることができる。
【００４６】
本実施形態では、背凭れ補強フレーム３２が下辺部３２ａ及び一対の側辺部３２ｂを一体に備えるＵ字状に形成された構成とした。
この構成によれば、背凭れ３０の下部３３ｄを補強した上で、着座者の腰部が背凭れ補強フレーム３２に干渉するのを抑えることができる。また、背凭れ補強フレーム３２が背板３１の外周縁に沿って配置されるので、背板３１の柔軟性が背凭れ補強フレーム３２によって阻害されるのを抑えることができる。
【００４７】
本実施形態では、背凭れ補強フレーム３２の下辺部３２ａと一対の側辺部３２ｂで囲まれた部分の内側に、クッション材３３の下部３３ｄが収められている構成とした。
この構成によれば、背凭れ３０の厚みが増加するのを抑えつつ、座り心地を向上させることができる。
【００４８】
本実施形態では、背凭れ補強フレーム３２の剛性が背板３１の剛性よりも高い構成とした。
この構成によれば、背凭れ補強フレーム３２によって背凭れ３０の剛性を積極的に確保することで、背板３１に対して柔軟性を付与し易い。
【００４９】
本実施形態では、背凭れ補強フレーム３２が背凭れ支持部材６の上方延出部６ｃに固定されている構成とした。
この構成によれば、背凭れ３０を支持構造体１に強固に固定することができる。
【００５０】
本実施形態において、背凭れ補強フレーム３２には、背凭れ支持部材６の上方延出部６ｃが挿入される挿入部３７が形成されている構成とした。
この構成によれば、背凭れ３０を組み立てる際には、背凭れ補強フレーム３２の挿入部３７に背凭れ支持部材６の上方延出部６ｃを挿入することで、背凭れ補強フレーム３２を背凭れ支持部材６の上方延出部６ｃに容易かつ強固に固定することができる。さらに、背凭れ支持部材６の上方延出部６ｃが背凭れ補強フレーム３２の挿入部３７に挿入されることで、背凭れ支持部材６の上方延出部６ｃが前後に露呈するのを抑え、椅子１００の外観を向上させることができる。
【００５１】
（その他の変形例）
なお、本発明に係る構成は、図面を参照して説明した上述の実施形態に限定されるものではなく、その技術的範囲において様々な変形例が考えられる。
例えば、上述した実施形態では、背凭れ補強フレーム３２と背板３１とを連結固定する構成、背凭れ補強フレーム３２と背凭れ支持部材６とを連結する構成について示したが、適宜他の構成に変更することが可能である。
上述した実施形態では、背凭れ補強フレーム３２を背板３１の荷重支持面３１ｆ側に設けるようにしたが、背凭れ補強フレーム３２を背板３１の後面側に設けるようにしてもよい。
上述した実施形態では、背凭れ補強フレーム３２が上方に開口するＵ字状に形成された構成について説明したが、この構成のみに限られない。
【００５２】
支持構造体１や座部１０の構成は、上述した実施形態で示した構成に限るものではない。例えば、支持構造体１は、キャスタ２ｂを備えた複数の脚杆２ａと、脚柱３とを有するようにしたが、キャスタ２ｂを備えず、床面Ｆに設置する複数本の脚を備える構成としてもよい。
背板３１における補強フレーム３２との連結部分以外の部分に、スリット等を形成することで、相対的に撓み易い部分を背板３１に設定してもよい。
上述した実施形態では、背凭れ支持部材６が幅方向の両側において、背凭れ補強フレーム３２の挿入部３７内に挿入されている構成について説明したが、この構成のみに限られない。例えば、一対の背凭れ支持部材６同士を幅方向に延びる連結部材により連結し、挿入部３７を背凭れ補強フレーム３２の下辺部３２ａにも形成することで、背凭れ支持部材６及び連結部材を下辺部３２ａ及び側辺部３２ｂに形成された挿入部３７内に挿入する構成であってもよい。
【００５３】
これ以外にも、本発明の主旨を逸脱しない限り、実施形態で挙げた構成を取捨選択したり、他の構成に適宜変更したりすることが可能である。
【符号の説明】
【００５４】
１  支持構造体
６  背凭れ支持部材
６ｃ  上方延出部（フレーム支持部）
１０  座部
３０  背凭れ
３１  背板（背凭れ本体）
３１ｆ  荷重支持面
３２  背凭れ補強フレーム
３２ａ  下辺部
３２ｂ  側辺部
３３  クッション材
３３ｄ  下部
３７  挿入部
１００  椅子
【図１】
2019126379.tif 000003
【図２】
2019126379.tif 000004
【図３】
2019126379.tif 000005
【図４】
2019126379.tif 000006
【図５】
2019126379.tif 000007
【図６】
2019126379.tif 000008
【図７】
2019126379.tif 000009
【図８】
2019126379.tif 000010